(57)【特許請求の範囲】
【請求項１】
上方が開口した凹部の底面中央に第一固定接点を有する絶縁樹脂製の下ケースと、前記第一固定接点と接離可能に前記下ケースの凹部内に収容された節度機能を有する可動接点と、前記下ケースに結合され、前記下ケースの凹部を覆う天面部の中央に孔部を有し、この天面部の孔部を構成する端部の裏面側が球状壁部に形成されると共に、前記天面部の裏面に前記孔部の中心から等距離の位置に複数個の第二固定接点が設けられた絶縁樹脂製の上ケースと、前記下ケース内に収容された付勢部材により上方に付勢された押え部材と、前記押え部材の上方に載せられ、押え部材を介して加わる付勢部材の上方への付勢力によって、上部球体部が前記上ケースの球状壁部に傾倒可能に係合保持されると共に、その傾倒時に前記第二固定接点の少なくとも二つに部分的に当接する導電性の鍔部を前記上部球体部の外周に備えた中央に貫通孔を有する可動接点体と、前記可動接点体の貫通孔に上下動可能に挿通された操作軸からなる多方向操作スイッチ。
【請求項２】
可動接点体が、絶縁材料製の筒状部材に導電性の鍔部を固定したもので構成されると共に、球形状に形成された操作軸の下端部と可動接点との間に絶縁性の押圧部材を介在させた請求項１に記載の多方向操作スイッチ。
【請求項３】
下ケースに設けた第一固定接点が、中央固定接点およびその周囲の外側固定接点により構成され、この外側固定接点上に円形ドーム状の可動接点の外周下端部が当接状態に載せられた請求項１または２に記載の多方向操作スイッチ。
【請求項４】
付勢部材および押え部材を導電材料製のものとし、その付勢部材を外側固定接点に当接状態に配した請求項３に記載の多方向操作スイッチ。
【請求項５】
操作軸の下端部の当接位置が、上ケースの孔部の中心と可動接点の中心を結ぶ軸線上に配された請求項２に記載の多方向操作スイッチ。
【請求項６】
多角形状に形成された可動接点体の鍔部が、それと相似形に形成された上ケースの下方開口の凹部内に収容され、この上ケースの凹部側壁で可動接点体の回転を規制する請求項１〜５のいずれか一つに記載の多方向操作スイッチ。
【請求項７】
請求項１〜６のいずれか一つに記載の多方向操作スイッチを搭載した電子機器であって、本体ケースに設けられた放射状溝部によって前記多方向操作スイッチの操作軸の操作方向を規制した電子機器。
【請求項８】
本体ケースに設けられた放射状溝部の中央部分が円形孔で形成され、多方向操作スイッチの操作軸を前記円形孔の端面まで傾倒操作した際に、前記多方向操作スイッチの所定の第二固定接点がオン状態に移行し、前記操作軸を放射状溝部の各々の直線部分まで傾倒操作した際に、前記多方向操作スイッチの第一固定接点がオン状態に移行するように構成された請求項７に記載の電子機器。
【発明の詳細な説明】
【０００１】
【発明の属する技術分野】
本発明は、電子機器の前面パネルから突出した操作部を傾倒することにより傾倒方向に応じた電気信号が得られる多方向操作スイッチおよびこれを用いた電子機器に関するものである。
【０００２】
【従来の技術】
従来の多方向操作スイッチについて、図１１の従来の多方向操作スイッチの断面図を用いて説明する。
【０００３】
同図において、１は、外形が八角形に形成された絶縁樹脂製の下ケースで、外形と相似する正八角形に形成された上方開口の凹部１Ａを備え、その底面には中央固定接点２および外側固定接点３からなる第一固定接点４が設けられると共に、それぞれの固定接点２および３と電気的に導通した端子２Ａおよび３Ａが下ケース１から導出されている。
【０００４】
そして、５は、導電金属薄板からなる円形ドーム状の可動接点で、その外周下端部５Ａが外側固定接点３上に当接状態に載せられている。
【０００５】
また、６は、前記下ケース１の開口部を覆うように下ケース１に結合された外形が八角形の絶縁樹脂製の上ケースであり、この上ケース６は中央に円形の孔部６Ａを有すると共に、図１２の裏面図に示すように、その裏面側に、孔部６Ａの中心から等距離等間隔の位置に八個の固定接点７Ａ〜７Ｈが設けられており、それぞれの固定接点７Ａ〜７Ｈと電気的に導通した端子７Ｉ〜７Ｐが上ケース６から導出されている。
【０００６】
また、図１３の断面図および図１４の裏面図にも示すように、８は、上方が円形孔９Ａで下方が小判形孔９Ｂとなった貫通孔９を有する絶縁樹脂製の筒状部材で、その中間部には、外形が下ケース１の凹部１Ａよりも少し小さい正八角形に形成された導電性鍔部１０がインサート成形によって固定されており、この筒状部材８と導電性鍔部１０とにより可動接点体１１が構成されている。
【０００７】
この可動接点体１１は、図１１に示すように、筒状部材８の上部円筒部８Ａが上ケース６の孔部６Ａに挿通させられ、かつ、導電性鍔部１０の裏面に、前記下ケース１内に配された導電性のコイルバネ１２の上端が当接状態に配されることによって傾倒可能に装着されている。
【０００８】
つまり、図１１に示す通常状態においては、可動接点体１１は、コイルバネ１２の付勢力によって上方に付勢され、導電性鍔部１０の上面が上ケース６の固定接点７Ａ〜７Ｈに当接して中立位置を保つように保持されている。
【０００９】
なお、図１１においては、固定接点７Ｂ〜７Ｄ，７Ｆ〜７Ｈは図示せずに省略している。
【００１０】
また、導電性のコイルバネ１２の下端は、下ケース１の外側固定接点３に常接されており、このために、固定接点７Ａ〜７Ｈは導電性鍔部１０および導電性のコイルバネ１２を介して外側固定接点３と導通状態となっており、それぞれの端子７Ｉ〜７Ｐ、３Ａの間も導通状態となっている。
【００１１】
なお、図１１においては、端子７Ｊ〜７Ｌ，７Ｎ〜７Ｐも図示せずに省略している。
【００１２】
そして、可動接点体１１の筒状部材８の貫通孔９には、円形棒状の操作軸１３が挿通されており、その下端部１３Ａが可動接点５の頂点部５Ｂに当接している。
【００１３】
この操作軸１３は、中央外周部に小判形部１３Ｂを備え、この小判形部１３Ｂが、筒状部材８の貫通孔９の小判形孔９Ｂに係合されることによって、操作軸１３は可動接点体１１に対して回転はせず、かつ所定距離の上下動可能に保持されている。
【００１４】
この操作軸１３は、上ケース６から外方に突出している部分が操作部１３Ｃとなり、操作力が加わっていない通常状態においては、上述のようにコイルバネ１２の上方への付勢力によって可動接点体１１が付勢されて中立位置を保っているために、その貫通孔９に挿通された操作軸１３も中立位置を保つことができるものとなっている。
【００１５】
次に、上記のように構成された従来の多方向操作スイッチの動作を説明する。
【００１６】
まず、操作軸１３の操作部１３Ｃに操作力が加わっていない通常状態では、操作軸１３・可動接点体１１は中立位置を保つと共に、可動接点体１１の導電性鍔部１０の上面が、上ケース６の固定接点７Ａ〜７Ｈと当接状態となっていることは上述の通りである。
【００１７】
この状態から、図１５中に矢印で示すように、操作軸１３の操作部１３Ｃに対して傾倒操作力を加え、操作軸１３を固定接点７Ｅが配された同図中で左方向に傾倒すると、その傾倒操作方向とは反対側の右側の導電性鍔部１０の上面部分と固定接点７Ａとの当接部を支点として、操作軸１３およびこれを挿通保持した可動接点体１１は、傾倒操作方向に対応する導電性鍔部１０の左側の下面部でコイルバネ１２の左側を部分的に撓めながら傾倒する。
【００１８】
このときに、傾倒支点となる部分に位置する固定接点７Ａは導電性鍔部１０と当接状態を維持するが、図１５に図示した固定接点７Ｅに加え、図１５中には図示していない固定接点７Ｂ〜７Ｄ，７Ｆ〜７Ｈも導電性鍔部１０と離れ、これらの固定接点７Ｂ〜７Ｈは電気的独立状態であるオフ状態となる。
【００１９】
そして、これとほぼ同時に、上記操作軸１３の傾倒操作に伴って下方に移動していく操作軸１３の下端部１３Ａが、下ケース１に配された可動接点５の頂点部５Ｂを押圧して可動接点５を反転させ、可動接点５を介して外側固定接点３と中央固定接点２の間を導通させる。
【００２０】
従って、この場合には、固定接点７Ａの端子７Ｉ、外側固定接点３の端子３Ａおよび中央固定接点２の端子２Ａが導通状態となり、その他の端子７Ｊ〜７Ｐは電気的独立状態であるオフ状態となる。
【００２１】
また、操作軸１３を固定接点７Ａ〜７Ｄ，７Ｆ〜７Ｈが配された方向に傾倒操作した場合の動作は上述した動作とほぼ同じものとなるために以下に簡単に説明すると、その傾倒操作方向と反対側に配された固定接点７Ｂ〜７Ｈの中のいずれか一つと導電性鍔部１０との当接部を支点として可動接点体１１は傾倒していき、上記支点の位置に配された固定接点７Ｂ〜７Ｈの中のいずれか一つのみが導通状態を保ち、その他はオフ状態に移行すると同時に、上記傾倒操作に伴う操作軸１３の下方への移動によって可動接点５が押圧されて反転し、可動接点５を介して外側固定接点３と中央固定接点２の間が導通状態になり、それぞれの固定接点７Ａ〜７Ｈ、２および３の電気的接離状態は、それぞれの端子７Ｉ〜７Ｐ、２Ａおよび３Ａから導出される。
【００２２】
そして、上記操作軸１３への傾倒操作力を除くと、コイルバネ１２および可動接点５は元の形状に復元し、これらの弾性復元力によって可動接点体１１および操作軸１３は上方に押し上げられて図１１に示す通常状態に戻る。
【００２３】
一方、図１１に示す通常状態において、操作軸１３の操作部１３Ｃを垂直下方に押し下げると、図１６の断面図に示すように、可動接点体１１はコイルバネ１２の上方への付勢力により通常状態における位置に維持され、筒状部材８の貫通孔９に上下動可能に挿通している操作軸１３のみが下方に移動し、その下端部１３Ａで可動接点５の頂点部５Ｂを押圧して可動接点５を反転させ、可動接点５を介して外側固定接点３と中央固定接点２の間を導通させる。
【００２４】
つまり、この場合には、上記押圧操作によって外側固定接点３と中央固定接点２の間がオン状態となるために、導電性鍔部１０およびコイルバネ１２を介して外側固定接点３に導通している固定接点７Ａ〜７Ｈは、中央固定接点２とも導通することとなり、これにより全ての端子７Ｉ〜７Ｐ、２Ａ、３Ａは導通状態になる。
【００２５】
そして、上記押圧力を除くと、可動接点５が元の形状に復元し、その復元力によって操作軸１３は上方に押し戻されて図１１に示す通常状態に戻るものであった。
【００２６】
【発明が解決しようとする課題】
しかしながら上記従来の多方向操作スイッチは、固定接点７Ａ〜７Ｈと導電性鍔部１０とで構成される上方スイッチ接点と、可動接点５と外側固定接点３および中央固定接点２とで構成される下方スイッチ接点とを備え、操作軸１３の所定操作によって上記両者のスイッチ接点の状態を切り換えることができるものであったが、特に上方スイッチ接点は、不用意に操作軸１３が少し傾倒させられた場合であっても導電性鍔部１０が固定接点７Ａ〜７Ｈから離れてしまい、固定接点７Ａ〜７Ｈのいずれかがオフ状態に移行してしまうという課題があると共に、操作軸１３を傾倒操作すると両者のスイッチ接点の状態は切り換わるが、その切り換わりのタイミングがほぼ同時に切り換わるものであったため、その用途も限られ、時間差をもって状態が切り換わる二つの信号を必要とするもの、例えば所定メニューの中から希望する項目を選択してその後に確定させるという選択信号および確定信号を必要とするものに対して、対応し難いものであった。
【００２７】
本発明の目的は、このような従来の課題を解決するものであり、不用意に操作軸が少し傾倒させられた場合であっても上方スイッチ接点の状態が変わり難く、しかも操作軸の所定の小さい傾倒操作角度における傾倒操作時には、上方スイッチ接点のみの状態が切り換わり、この状態から更に操作軸を傾倒させた場合に、上方スイッチ接点の状態を維持しつつ下方スイッチ接点の状態を切り換えることができる操作性に優れた多方向操作スイッチを提供することを目的とする。
【００２８】
【課題を解決するための手段】
上記目的を達成するために本発明は、凹部底面に設けられた第一固定接点とそれと接離する可動接点からなる下方スイッチ接点を備えた下ケースの上方開口部中央に、下方スイッチ接点の可動接点を押圧して作動させる操作軸を上下動可能に挿通保持すると共に、外周に導電性の鍔部を備えた可動接点体を、この鍔部を下ケース内に配された付勢部材で上方に付勢された押え部材上に当接状態に載せ、かつ上記付勢力によって可動接点体の上部球体部を上ケースの球状壁部に係合保持させて傾倒可能に配するものであり、操作軸の傾倒操作に伴って可動接点体が傾倒した際に、可動接点体の鍔部が上ケースの裏面に設けられた複数個の第二固定接点の少なくとも二つに部分的に当接するようにして上方スイッチ接点を構成するものである。
【００２９】
これにより、操作軸を所定の角度に傾倒操作すると、下方スイッチ接点は作動せずに、まず可動接点体の導電材料製の鍔部の一部が上ケースの所定の第二固定接点に当接して上方スイッチ接点の状態が変わり、この状態から操作軸を更に大きい傾倒角度で傾倒させると、前記当接箇所を支点として可動接点体は更に傾き、これに伴って下方に移動していくこととなる操作軸の下端部で下方スイッチ接点を押圧してその状態を変えることができる操作性に優れた多方向操作スイッチを得ることができる。
【００３０】
【発明の実施の形態】
本発明の請求項１に記載の発明は、上方が開口した凹部の底面中央に第一固定接点を有する絶縁樹脂製の下ケースと、前記第一固定接点と接離可能に前記下ケースの凹部内に収容された節度機能を有する可動接点と、前記下ケースに結合され、前記下ケースの凹部を覆う天面部の中央に孔部を有し、この天面部の孔部を構成する端部の裏面側が球状壁部に形成されると共に、前記天面部の裏面に前記孔部の中心から等距離の位置に複数個の第二固定接点が設けられた絶縁樹脂製の上ケースと、前記下ケース内に収容された付勢部材により上方に付勢された押え部材と、前記押え部材の上方に載せられ、押え部材を介して加わる付勢部材の上方への付勢力によって、上部球体部が前記上ケースの球状壁部に傾倒可能に係合保持されると共に、その傾倒時に前記第二固定接点の少なくとも二つに部分的に当接する導電性の鍔部を前記上部球体部の外周に備えた中央に貫通孔を有する可動接点体と、前記可動接点体の貫通孔に上下動可能に挿通された操作軸からなる多方向操作スイッチとしたものであり、操作軸を中立状態から傾倒操作すると、可動接点体は上部球体部が係合保持されている上ケースの球状壁部の球の中心を支点として操作軸に連動して傾倒し、その傾倒方向とは反対側の鍔部が上ケースに設けられた複数の第二固定接点の内の少なくとも二つに当接し、この第二固定接点間をオン状態に移行させ、この状態から更に同一方向に操作軸を傾倒させると、第二固定接点と鍔部で構成される上方スイッチ接点は前記状態を保ったままで、しかもその傾倒動作の支点が前記当接箇所となって、前記支点を中心として可動接点体は押え部材を介して付勢部材を部分的に撓めながら傾倒していき、これに伴い下方に移動する操作軸の下端部で可動接点を押圧して第一固定接点に接触させて可動接点と第一固定接点で構成される下方スイッチ接点を作動させることができるもの、すなわち操作軸の傾倒操作角度に従って上方スイッチ接点および下方スイッチ接点の状態を切り換えることができる操作性に優れた多方向操作スイッチを実現できるという作用を有する。
【００３１】
請求項２に記載の発明は、請求項１に記載の発明において、可動接点体が、絶縁材料製の筒状部材に導電性の鍔部を固定したもので構成されると共に、球形状に形成された操作軸の下端部と可動接点との間に絶縁性の押圧部材を介在させたものであり、操作軸を容易に絶縁状態にでき、第二固定接点と導電性の鍔部で構成される上方スイッチ接点、および操作軸の下方に配設される第一固定接点と可動接点で構成される下方スイッチ接点に対して、操作軸を通じて進入する静電気等による影響を少なくできると共に、操作軸の傾倒操作時においても、押圧部材で可動接点をほぼ垂直下方に押圧して下方スイッチ接点を作動させることができるため、その際の節度感触が明確に得られるものにできるという作用を有する。
【００３２】
請求項３に記載の発明は、請求項１または２に記載の発明において、下ケースに設けた第一固定接点が、中央固定接点およびその周囲の外側固定接点により構成され、この外側固定接点上に円形ドーム状の可動接点の外周下端部が当接状態に載せられたものであり、簡単で、かつ少ない構成部品で、節度感触が良好に得られると共に、その節度感触とほぼ同時に下方スイッチ接点の状態が切り換わる操作性の優れたものを安価に得ることができるという作用を有する。
【００３３】
請求項４に記載の発明は、請求項３に記載の発明において、付勢部材および押え部材を導電材料製のものとし、その付勢部材を外側固定接点に当接状態に配したものであり、上方スイッチ接点と下方スイッチ接点は共に外側固定接点に電気的に接続されたものにでき、この外側固定接点をコモン電位にすることにより、使用機器における回路構成が簡素化できるという作用を有する。
【００３４】
請求項５に記載の発明は、請求項２に記載の発明において、操作軸の下端部の当接位置が、上ケースの孔部の中心と可動接点の中心を結ぶ軸線上に配されたものであり、操作軸の球面に形成された下端部が可動接点体の傾倒中心と同一軸線上に配されているため、上方スイッチ接点の状態が切り換わるまでの操作軸の傾倒操作時に、操作軸の下方に向かう移動量が少なくできて下ケース内の可動接点に加わる押圧力を少なくできるので下方スイッチ接点の状態を容易にオフ状態に保つことができるという作用を有する。
【００３５】
請求項６に記載の発明は、請求項１〜５のいずれか一つに記載の発明において、多角形状に形成された可動接点体の鍔部が、それと相似形に形成された上ケースの下方開口の凹部内に収容され、この上ケースの凹部側壁で可動接点体の回転を規制するものであり、多角形状どうしの両者の機械的な係合により、確実に可動接点体の回転を防止することができて、常に可動接点体の鍔部と上ケースの第二固定接点とを所定の位置関係に保ことができるため、操作軸の傾倒操作時に上方スイッチ接点が安定して作動するものを得ることができるという作用を有する。
【００３６】
請求項７に記載の発明は、請求項１〜６のいずれか一つに記載の多方向操作スイッチを搭載した電子機器であって、本体ケースに設けられた放射状溝部によって前記多方向操作スイッチの操作軸の操作方向を規制した電子機器としたものであり、簡単な構成で前記多方向操作スイッチの傾倒操作方向を確実に規制することができると共に、前記多方向操作スイッチは、所定方向に向かう小さい操作軸の傾倒操作角度で上方スイッチ接点の状態が切り換わり、その後同一方向に大きい傾倒操作角度で操作軸を傾倒すると下方スイッチ接点の状態が切り換わるものであるために、放射状溝部の方向と前記傾倒操作方向を合わせて設定することにより、例えば上方スイッチ接点の信号で所定機能の選択をし、下方スイッチ接点の信号でその確定を行うことができる操作性に優れた電子機器を容易に実現することができるという作用を有する。
【００３７】
請求項８に記載の発明は、請求項７に記載の発明において、本体ケースに設けられた放射状溝部の中央部分が円形孔で形成され、多方向操作スイッチの操作軸を前記円形孔の端面まで傾倒操作した際に、前記多方向操作スイッチの所定の第二固定接点がオン状態に移行し、前記操作軸を放射状溝部の各々の直線部分まで傾倒操作した際に、前記多方向操作スイッチの第一固定接点がオン状態に移行するように構成されたものであり、請求項７に記載した発明による作用に加えて、放射状溝部の中央部分が円形孔で構成されているために、所定位置の上方スイッチ接点の状態を切り換える際に、操作軸を所定角度で傾倒させて操作軸の上端が円を描くように操作することができるものを容易に得ることができるという作用を有する。
【００３８】
以下、本発明の実施の形態による多方向操作スイッチについて、図面を用いて説明する。
【００３９】
（実施の形態１）
図１は本発明の第一の実施の形態による多方向操作スイッチの断面図、図２は同分解斜視図であり、同図において、２１は、上方開口の凹部を備えた絶縁樹脂製の下ケースで、凹部底面には中央固定接点２２および外側固定接点２３からなる第一固定接点２４が設けられ、それぞれの固定接点２２および２３と電気的に導通した端子２２Ａおよび２３Ａが外方に導出されている。
【００４０】
この外側固定接点２３には、導電金属薄板からなる円形ドーム状の可動接点２５の外周下端部２５Ａが当接状態に載せられている。
【００４１】
また、この下ケース２１の上方開口部を覆うように、中央に円形の孔部２６Ａを有し、裏面に第二固定接点２７が設けられた絶縁樹脂製の上ケース２６が下ケース２１に結合されていることは従来の技術の場合と同じであるが、この上ケース２６は、孔部２６Ａを構成する端部の裏面側が球状に形成された球状壁部２６Ｂで構成されると共に、正八角形の下方開口の凹部２６Ｃを備えたものとなっており、凹部２６Ｃの天面の露出している部分に合計で十六個の第二固定接点２７が設けられたものとなっている。
【００４２】
この上ケース２６の孔部２６Ａと凹部２６Ｃは、中心位置を合わせて設けられている。
【００４３】
そして、この十六個の第二固定接点２７（２７Ａ〜２７Ｐ）の配置状態は、図３の上ケースの裏面図に示すように、孔部２６Ａの中心位置から等距離で、かつ上ケース２６の正八角形に形成された凹部２６Ｃの一つの辺に対して各々二つずつ配設されている。
【００４４】
また、同図に示すように、上ケース２６からは、合計で八本の各々電気的に独立状態に配された端子２８（２８Ａ〜２８Ｈ）が導出されており、端子２８Ａ〜２８Ｈのそれぞれは、上記第二固定接点２７（２７Ａ〜２７Ｐ）の内、凹部２６Ｃの角部を形成する隣接する一方の辺側に配された一つと他方の辺側に配された一つとに電気的に接続されている。
【００４５】
そして、図４の断面図および図５の裏面図にも示すように、２９は絶縁樹脂製の筒状部材で、上方が円形孔３０Ａで下方が小判形孔３０Ｂとなった貫通孔３０を有すると共に、その外周中間部に外形が凹部２６Ｃよりも少し小さい正八角形に形成された導電性の鍔部３１がインサート成形によって固定され、この筒状部材２９と鍔部３１で可動接点体３２を構成していることは従来の技術の場合と同じであるが、この筒状部材２９は、上方外周部分が球状壁部２６Ｂと同一径の球形状に加工された上部球体部２９Ａを備えたものとなっている。
【００４６】
なお、筒状部材２９と鍔部３１とを導電材料で一体形成してもよい。
【００４７】
そして、３３は導電材料からなる弾性部材であるコイルバネで、下端を外側固定接点２３に電気的に接続させて下ケース２１内に収容装着され、その上端は、上面が平坦なリング状の導電材料製の押え部材３４の裏面に当接して押え部材３４に上方への付勢力を加えている。
【００４８】
そして、上記可動接点体３２は、この押え部材３４の内周部分の上面に導電性の鍔部３１が載せられると共に、筒状部材２９の上部球体部２９Ａが上ケース２６の球状壁部２６Ｂに係合するように配されている。
【００４９】
すなわち、この可動接点体３２は、押え部材３４を介して鍔部３１にコイルバネ３３の上方への付勢力を受け、かつ上ケース２６との係合箇所が共に球形状であるために、水平状態を保つことができるものとなっている。
【００５０】
このときに、図１に示すように、押え部材３４の平坦な上面外周部を上ケース２６の凹部２６Ｃを構成する側壁部の下端面２６Ｄに当接させて停止させ、この際に筒状部材２９の上部球体部２９Ａが上ケース２６の球状壁部２６Ｂに係合する寸法で構成すると、押え部材３４の水平状態を容易に安定化させることができ、これにより可動接点体３２も安定した水平状態を保てるようにできる。
【００５１】
また、この場合には、上ケース２６の凹部２６Ｃの中に鍔部３１が収容されることとなり、それぞれは正八角形の形状に形成されているために、上ケース２６の凹部２６Ｃに対して可動接点体３２の回転を容易に防止できる。
【００５２】
そして、この可動接点体３２の貫通孔３０には、棒状の操作軸３５が挿通され、その上方部は上ケース２６の孔部２６Ａから外方に突出して操作部３５Ｃとなると共に、球形状に形成された下端部３５Ａは、可動接点２５の頂点部２５Ｂ上に載置された絶縁性の押圧部材３６の上面に当接状態に配されている。
【００５３】
また、この操作軸３５は、中央外周部に小判形部３５Ｂを備え、この小判形部３５Ｂが、筒状部材２９の貫通孔３０の小判形孔３０Ｂに係合されることによって、操作軸３５は可動接点体３２に対して回転はせず、かつ所定距離の上下動可能に保持されている。
【００５４】
そして、上述のごとく、操作軸３５を挿通保持している可動接点体３２は、通常状態において水平状態に保持されているために、操作力が加わっていない状態では、可動接点体３２の筒状部材２９に保持されている操作軸３５も垂直な中立位置を保っている。
【００５５】
そして、上ケース２６の上方から装着された金属カバー３７の脚部３７Ａが下ケース２１の底面にカシメ固定されることによって、上ケース２６と下ケース２１は結合されている。
【００５６】
なお、金属カバー３７を用いずとも、上ケース２６と下ケース２１とを熱溶着やタボカシメ等により直接固着してもよい。
【００５７】
次に、上記のように構成された本発明による多方向操作スイッチの動作を説明する。
【００５８】
まず、操作軸３５に操作力を加えていない図１に示す通常状態においては、可動接点体３２に挿通保持された操作軸３５は中立位置を保つと共に、可動接点体３２の鍔部３１は水平方向に維持されているので、上ケース２６に設けられた第二固定接点２７（２７Ａ〜２７Ｐ）は、いずれの間も電気的に独立状態、すなわちオフ状態になっている。
【００５９】
また、操作軸３５の下方への移動もないために、第一固定接点２４もオフ状態に保たれている。
【００６０】
上記の通常状態から図６の断面図に矢印で示すように、操作軸３５を同図中で左側に傾倒させるように操作部３５Ｃに操作力を加えると、操作軸３５を貫通孔３０に挿通保持している可動接点体３２は、操作軸３５の傾倒に伴って上記傾倒方向に対応する鍔部３１の左側の下面部分で押え部材３４を押し、この押え部材３４に介してコイルバネ３３の左側を部分的に圧縮させつつ操作軸３５と連動して上記方向に傾倒していく。
【００６１】
このときに、上記傾倒操作方向とは反対側の押え部材３４の右側部分は、上記傾倒操作に際する下方に向かう力を直接受けることなく、しかも下面からはコイルバネ３３の上方への付勢力を受けているために、その上面が、上ケース２６の側壁部の下端面２６Ｄに当接したままの状態を維持しつつ、押え部材３４は左側に傾倒する。
【００６２】
また、この可動接点体３２は、上部球体部２９Ａが上ケース２６の球状壁部２６Ｂに係合状態となっていると共に、貫通孔３０に挿通保持している操作軸３５の下端部３５Ａが球形状に形成されているために、同方向に滑らかに傾倒していく。
【００６３】
そして、上記可動接点体３２が所定角度まで傾倒すると、図６に示すように、傾倒方向と反対側の鍔部３１の右側部分の上面が、その上方位置の上ケース２６の凹部２６Ｃの一つの辺部分に当接し、上記辺部分に配された第二固定接点２７Ａと図６において図示しない第二固定接点２７Ｐとの間を導通させて端子２８Ａと図６において図示しない端子２８Ｈの間を導通状態にする。
【００６４】
なお、この鍔部３１は、導電性の押え部材３４およびコイルバネ３３を介して外側固定接点２３とも導通状態であるため、上記所定の二つの端子２８に加えて外側固定接点２３と導通した端子２３Ａも導通状態となる。
【００６５】
このように上記の場合には、可動接点体３２の略中央部が傾倒支点となって操作軸３５および可動接点体３２等が傾倒していき、その傾倒方向と反対側の上方に配された上ケース２６の所定の第二固定接点２７間を可動接点体３２の鍔部３１で導通させる。
【００６６】
また、このとき、可動接点体３２および操作軸３５は、上述のごとく上ケース２６に対して回転規制がなされた構成であるために、操作軸３５の傾倒操作に伴って所定の第二固定接点２７どうしの間を安定して導通させることができる。
【００６７】
さらに、可動接点体３２の鍔部３１の配設位置としては、間違って操作軸３５が僅かに傾倒させられた程度で第二固定接点２７と接触しない位置に配することによって、所定の操作角度による操作軸３５の傾倒以外で、第二固定接点２７の電気的な接離状態が切り換わらないものを容易に構成できる。
【００６８】
また、上記傾倒支点と操作軸３５に下端部３５Ａの押圧部材３６への当接位置は、図１からも判るように同一軸線上に配されているために、上記傾倒操作時の操作軸３５の下方への移動距離は少なく、第一固定接点２４はオフ状態のまま維持される。
【００６９】
続いて、図６に示す状態から操作軸３５の操作部３５Ｃに更に左側に向かう傾倒操作力を加えて操作軸３５を傾倒させると、図７の断面図に示すように、操作軸３５および可動接点体３２は、今度は、第二固定接点２７Ａと図６において図示しない第二固定接点２７Ｐと当接している可動接点体３２の鍔部３１の右側部分を傾倒支点として、鍔部３１の左側部分の下面で押え部材３４を押し下げながら連動して傾倒していく。
【００７０】
このとき、操作軸３５の下端部３５Ａは大きく下方に移動することとなり、その移動に伴って可動接点２５は押圧部材３６を介して押圧され、その押圧力が所定の力を越えると、可動接点２５は反転動作して裏面が中央固定接点２２に接触し、可動接点２５を介して中央固定接点２２と外側固定接点２３との間、すなわち第一固定接点２４が電気的に導通状態になる。
【００７１】
つまり、この傾倒操作時に可動接点２５から節度感触を得ることができると共に、図７において図示しない端子２２Ａと端子２３Ａとの間が導通状態となる。
【００７２】
なお、図７にも示すように上記状態においては、傾倒支点が鍔部３１の外方に移って操作軸３５および可動接点体３２が傾倒するため、可動接点体３２の上部球体部２９Ａが上ケース２６の球状壁部２６Ｂから離れ、可動接点体３２が左斜め下方向に移動することも考慮されるが、可動接点体３２と押え部材３４とに互いに係合する凹凸部を設けて組み合わせる構成、すなわち可動接点体３２の位置規制手段を設けると上記現象は容易に防止することができる。
【００７３】
一方、操作軸３５の下端部３５Ａが、可動接点２５の中心位置に対して少しずれた位置を押圧した場合であっても、操作軸３５と可動接点２５の間には押圧部材３６を介在させた構成としているために、上記状態であっても可動接点２５は押圧部材３６でほぼ垂直下方に押圧され、明確な節度感触と第一固定接点２４の確実な電気的接続が図れる。
【００７４】
また、図７に示す状態においても、可動接点体３２の鍔部３１は、第二固定接点２７Ａおよび図７において図示しない第二固定接点２７Ｐとに当接状態を維持しているために、それらの端子２８Ａおよび図７において図示しない端子２８Ｈは導通状態で、しかも上述のごとく鍔部３１はコイルバネ３３等を介して外側固定接点２３と導通しているので、四つの端子２２Ａ，２３Ａ，２８Ａ，２８Ｈが互いに導通状態となる。
【００７５】
つまり、この場合には、所定の第二固定接点２７に当接している鍔部３１の当接箇所が傾倒支点となって、上方スイッチ接点の電気的接離状態を維持したままで、操作軸３５および可動接点体３２等が傾倒していき、第一固定接点２４がオン状態に切り換わる。
【００７６】
そして、上記操作軸３５への傾倒操作力を除くと、可動接点２５およびコイルバネ３３の弾性復元力によって操作軸３５および可動接点体３２は元の状態に復帰し、第一固定接点２４および第二固定接点２７の全てが電気的独立状態である図１に示す通常状態に戻る。
【００７７】
上記に記載したように本実施の形態による多方向操作スイッチによれば、鍔部３１と上ケース２６に配された第二固定接点２７とにより構成される上方スイッチ接点、および下ケース２１に配された第一固定接点２４と可動接点２５とにより構成される下方スイッチ接点は、通常状態において共にオフ状態で、操作軸３５を所定の角度まで傾倒させると、まず所定の上方スイッチ接点が導通状態となり、更に操作軸３５の傾倒角度を増すと、下方スイッチ接点が導通状態にできるものである。
【００７８】
また、図１に示す通常状態において、操作軸３５の操作部３５Ｃを垂直下方に押し下げると、図８の断面図に示すように、可動接点体３２の貫通孔３０に上下動可能に挿通された操作軸３５は下方に移動し、下端部３５Ａは押圧部材３６を介して可動接点２５を押圧して反転させ、可動接点２５を介して第一固定接点２４を導通状態にする。
【００７９】
このときに、可動接点体３２および押え部材３４は、コイルバネ３３の付勢力で上方に付勢され水平状態を保つと共に、可動接点体３２の鍔部３１は第二固定接点２７のいずれにも接触することはないので、全ての上方スイッチ接点はオフ状態で下方スイッチ接点のみオン状態になる。
【００８０】
そして、操作軸３５への操作力を除くと、可動接点２５は元の形状に復元し、下方スイッチ接点がオフ状態に戻ると共に、その弾性復元力によって押圧部材３６および操作軸３５は押し上げられて図１に示す通常状態に戻る。
【００８１】
このように本実施の形態による多方向操作スイッチは、操作軸３５を傾倒操作または押圧操作することにより上方スイッチ接点と下方スイッチ接点の状態を切り換えることができるものであり、特に傾倒操作の際には、操作軸３５の傾倒操作角度を調節するのみで、所定の上方スイッチ接点をオン状態に維持したままで下方スイッチ接点の状態を容易に切り換えることができる操作性に優れた多方向操作スイッチを容易に実現できる。
【００８２】
なお、上記に説明した操作軸３５の傾倒操作時に所定の第二固定接点２７が外側固定接点２３と同電位にできる構成のものは、電子機器に使用する際に、外側固定接点２３をコモン電位にすることによって使用機器の回路構成を簡素化することができる。
【００８３】
また、上記のものは、上方スイッチ接点および下方スイッチ接点に対して、操作軸３５が絶縁状態に配された構成でもあるために、操作軸３５を通じて進入する静電気等による影響も容易に少なくできる。
【００８４】
なお、必要であれば、上記構成においてコイルバネ３３または押え部材３４を絶縁性の材料で形成するか、もしくは、コイルバネ３３を外側固定接点２３と電気的に分離状態に配することにより、上方スイッチ接点と下方スイッチ接点とを電気的に分離した構成としてもよい。
【００８５】
さらに、上記には八方向に操作軸３５を傾倒操作できるものを例として説明したが、本発明は八方向以外、例えば四方向等に操作軸３５を傾倒操作できるものにも容易に適用できるものである。
【００８６】
（実施の形態２）
本実施の形態は、実施の形態１に説明した多方向操作スイッチを組込んだ電子機器に関するものである。
【００８７】
図９は、本発明の第二の実施の形態による電子機器の概念図、図１０は、同上面図である。
【００８８】
同図に示すように、実施の形態１による多方向操作スイッチ５１は、電子機器内の配線基板５２に装着され、その操作軸３５の操作部３５Ｃは、外装ケース５３の操作用孔部５４から外方に突出している。
【００８９】
この外装ケース５３の操作用孔部５４の形状は、図１０に示すように、中央円形孔５４Ａの外周部に放射状溝部５４Ｂが設けられたものとなっている。
【００９０】
この放射状溝部５４Ｂが形成されている方向は、操作軸３５を傾倒させた際に、上記多方向操作スイッチ５１の上方スイッチ接点の状態が切り換わる方向に対応して設けられている。
【００９１】
上記のように構成された電子機器は、操作軸３５を中央円形孔５４Ａの端面付近まで傾倒させて多方向操作スイッチ５１の上方スイッチ接点の状態を切り換え、その際に得られる多方向操作スイッチ５１からの出力信号で所定機能を作動させ、続いて操作軸３５を放射状溝部５４Ｂ内に傾倒させて多方向操作スイッチ５１の下方スイッチ接点の状態を切り換え、その際に得られる多方向操作スイッチ５１からの出力信号で上記所定機能とは異なる機能を作動できるものとなっている。
【００９２】
つまり、上記電子機器は、例えば図示していない表示部に表示された複数の項目またはアイコン等の対象物に対して、操作軸３５を中央円形孔５４Ａの端面付近まで傾倒させ、多方向操作スイッチ５１の所定の上方スイッチ接点をオン状態とし、それを検出することにより上記表示部に表示されたカーソル位置を所定方向に移動させて希望するものに合わせ、続いて操作軸３５を放射状溝部５４Ｂ内に傾倒させて多方向操作スイッチ５１の下方スイッチ接点をオン状態として希望するものを確定する等の使い方ができるものである。
【００９３】
このときに、多方向操作スイッチ５１の操作軸３５を間違った方向に傾倒してカーソルが希望するものに対してずれた位置に移動した場合においても、操作軸３５を操作用孔部５４の中央円形孔５４Ａの端面に沿わせて操作軸３５の上端が円を描くように操作して、所定方向にカーソルを希望するものに容易に合わせることができるものを得られる。
【００９４】
また、上記多方向操作スイッチ５１は、操作軸３５の異なる傾倒操作角度によって上方スイッチ接点の状態を維持したままで下方スイッチ接点の状態を切り換えることができるため、一つの操作軸３５の傾倒操作角度を変えるのみで所定の機能を切り換えつつ作動させることができる操作性の優れた電子機器を容易に実現できるものである。
【００９５】
【発明の効果】
以上のように本発明によれば、操作軸の小さい傾倒操作角度で上方スイッチ接点の状態が切り換わり、この状態から更に操作軸を傾倒させた場合に、上方スイッチ接点の状態を維持しつつ下方スイッチ接点の状態を切り換えることができる操作性に優れた多方向操作スイッチを実現できるという有利な効果が得られる。
【００９６】
また、この多方向操作スイッチを用いた電子機器は、この多方向操作スイッチの操作軸の傾倒操作のみで二つの機能を時間差を持たせて作動させることができるものを得られ、簡便な操作で所定機能を切り換えつつ使用できる利便性に優れたものを容易に実現できるものである。
【図面の簡単な説明】
【図１】本発明の第一の実施の形態による多方向操作スイッチの断面図
【図２】同分解斜視図
【図３】同要部である上ケースの裏面図
【図４】同要部である可動接点体の断面図
【図５】同要部である可動接点体の裏面図
【図６】同操作軸を傾倒操作した状態を説明する断面図
【図７】同操作軸を傾倒操作した状態を説明する断面図
【図８】同操作軸を押圧操作した状態を説明する断面図
【図９】本発明の第二の実施の形態による電子機器の概念図
【図１０】同上面図
【図１１】従来の多方向操作スイッチの断面図
【図１２】同要部である上ケースの裏面図
【図１３】同要部である可動接点体の断面図
【図１４】同裏面図
【図１５】同操作軸を傾倒操作した状態を説明する断面図
【図１６】同操作軸を傾倒操作した状態を説明する断面図
【符号の説明】
２１  下ケース
２２  中央固定接点
２２Ａ，２３Ａ，２８，２８Ａ〜２８Ｈ  端子
２３  外側固定接点
２４  第一固定接点
２５  可動接点
２５Ａ  外周下端部
２５Ｂ  頂点部
２６  上ケース
２６Ａ  孔部
２６Ｂ  球状壁部
２６Ｃ  凹部
２６Ｄ  下端面
２７，２７Ａ〜２７Ｐ  第二固定接点
２９  筒状部材
２９Ａ  上部球体部
３０  貫通孔
３０Ａ  円形孔
３０Ｂ  小判形孔
３１  鍔部
３２  可動接点体
３３  コイルバネ
３４  押え部材
３５  操作軸
３５Ａ  下端部
３５Ｂ  小判形部
３５Ｃ  操作部
３６  押圧部材
３７  金属カバー
３７Ａ  脚部
５１  多方向操作スイッチ
５２  配線基板
５３  外装ケース
５４  操作用孔部
５４Ａ  中央円形孔
５４Ｂ  放射状溝部
【図１】
0003896734.tif 000002
【図２】
0003896734.tif 000003
【図３】
0003896734.tif 000004
【図４】
0003896734.tif 000005
【図５】
0003896734.tif 000006
【図６】
0003896734.tif 000007
【図７】
0003896734.tif 000008
【図８】
0003896734.tif 000009
【図９】
0003896734.tif 000010
【図１０】
0003896734.tif 000011
【図１１】
0003896734.tif 000012
【図１２】
0003896734.tif 000013
【図１３】
0003896734.tif 000014
【図１４】
0003896734.tif 000015
【図１５】
0003896734.tif 000016
【図１６】
0003896734.tif 000017